(57)【要約】【課題】  蛍光灯器具に取り付け可能であって、ＬＥＤ照明管の両端に取り付けられる口金を管体の支持用にのみ用いるとともに、管体からの光の放射方向を調整可能とし、かつ、ＬＥＤ照明管を直線状に連結した場合に照射面の光のムラをなくす。【解決手段】  発光素子３０が配置された回路基板２０を内部に有する管体１０を備えたＬＥＤ照明管１であって、管体１０の端面１２に設けられた閉塞部材５０と、この閉塞部材５０の外方に着脱可能に取り付けられた口金６０と、発光素子３０に電源を供給するための電源コード４０とを備え、この電源コード４０は、一方が回路基板２０に接続されるとともに、他方が管体１０又は閉塞部材５０を介して外部に接続された。【選択図】    図２
2012099411.tif 000002
【特許請求の範囲】
【請求項１】
発光素子が配置された回路基板を内部に有する管体を備えたＬＥＤ照明管であって、
前記管体の端面に設けられた閉塞部材と、
この閉塞部材の外方に着脱可能に取り付けられた口金と、
前記発光素子に電源を供給するための電源コードとを備え、
この電源コードは、一方が前記回路基板に接続されるとともに、他方が前記管体又は閉塞部材を介して外部に接続された
ことを特徴とするＬＥＤ照明管。
【請求項２】
前記口金に穿設された孔を貫通し、前記閉塞部材の取り付け部に係合して、前記口金を前記閉塞部材に固定する固定部材を備え、
前記口金の孔が、該口金の外周と同心円上に複数形成され、
任意の前記孔に前記固定部材を貫通させることによって、前記発光素子から発する光の放射方向を調整する
ことを特徴とする請求項１記載のＬＥＤ照明管。
【請求項３】
前記口金が、前記閉塞部材に対向する面とは反対側の面に凹部を有し、
この凹部の底面から前記閉塞部材に対向する面に向かって、前記孔が穿設されており、
前記凹部が、蓋部材により閉塞された
ことを特徴とする請求項１又は２記載のＬＥＤ照明管。
【請求項４】
前記閉塞部材が、透明又は半透明である
ことを特徴とする請求項１〜３のいずれかに記載のＬＥＤ照明管。
【請求項５】
前記閉塞部材が、前記管体の端面の開口を閉塞する円板状の蓋部を有し、
この蓋部の外側の面が、平面である
ことを特徴とする請求項１〜４のいずれかに記載のＬＥＤ照明管。
【請求項６】
前記請求項４記載のＬＥＤ照明管を複数連結したＬＥＤ照明装置であって、
前記ＬＥＤ照明管の両端から口金を取り除いて、この口金が取り付けられていた閉塞部材の被取付面である円形状の平面を露出させ、
一の前記ＬＥＤ照明管における前記閉塞部材の円形状の平面と、他の前記ＬＥＤ照明管における前記閉塞部材の円形状の平面とを当接又は近接させて、複数の前記ＬＥＤ照明管を直列方向に連結した
ことを特徴とするＬＥＤ照明装置。
【発明の詳細な説明】
【技術分野】
【０００１】
本発明は、複数のＬＥＤが内部に配置された蛍光灯型のＬＥＤ照明管、及び、このＬＥＤ照明管を複数連結したＬＥＤ照明装置に関し、特に、既設の蛍光灯器具に取り付けるなどして、室内や商品などを照明するのに好適なＬＥＤ照明管及びＬＥＤ照明装置に関する。
【背景技術】
【０００２】
従来、室内などの照明には、蛍光灯照明装置が用いられていた。
蛍光灯照明装置は、予め天井などに配設された蛍光灯器具と、光源として、その蛍光灯器具に取り付けられる蛍光灯とを有している。
この蛍光灯を始動するための点灯方式には、種々のものがあるが、代表的なものとして、例えば、グロースタータ（点灯管）を用いたグロースタート方式、始動補助導体を有したラピッドスタート型ランプと予熱巻線付きの磁気漏れ変圧器型安定器の組み合わせで始動するラピッドスタート方式、インバータ回路によるインバータ方式などがある。
【０００３】
また、近年、蛍光灯に代わる光源としてＬＥＤ照明管が注目されている。
ＬＥＤ照明管は、透明又は半透明の円筒管の中にＬＥＤを所定間隔で配置し、外部からの電源の供給を受けて、それらＬＥＤを発光させるものである。
このＬＥＤ照明管は、全体的に直管型の蛍光灯と同様の形状を有している。また、円筒管の両端には口金が設けられており、この口金には複数本（通常、二本）のピンが突設形成されている。これにより、ＬＥＤ照明管は、既設の蛍光灯器具に取り付け可能となっている。
【０００４】
ところで、蛍光灯の点灯方式には、前述したように種々のものがあるが、これらは、いずれも蛍光灯を点灯させるための回路構成となっていた。
このため、その蛍光灯器具にＬＥＤ照明管を取り付ける場合には、このＬＥＤ照明管に適した回路や配線に変更する必要があった。
また、回路等を変更した蛍光灯器具に再度蛍光灯を取り付ける場合は、それら回路等を元に戻す必要があった。
さらに、回路等を元に戻した蛍光灯器具に、誤ってＬＥＤ照明管を取り付けると、このＬＥＤ照明管が破損したり焼損したりする可能性があった。
【０００５】
そこで、配線や回路を変更することなく、同じ蛍光灯器具に対して、ＬＥＤ照明管と蛍光灯の両方を取り付け可能とする技術が提案されている。
例えば、ＬＥＤ照明管の両端に設けられた口金を、単に管体を支持するためだけに用いることとし、ＬＥＤに電流を流すための配線については、一方をＬＥＤが搭載された基板に接続し、他方を管体の側面の孔に通して外部から商用電源を取り込むものがある（例えば、特許文献１参照。）。
この技術によれば、ＬＥＤへの電力供給が、蛍光灯器具に既設された各種点灯方式の回路や配線を介さず、新設の配線を介して行われる。このため、それら既設の回路等を変更することなく、ＬＥＤ照明管を取り付けることができる。また、それら回路等は変更されないため、そのまま蛍光灯を取り付けることもできる。
【先行技術文献】
【特許文献】
【０００６】
【特許文献１】実用新案登録第３１１９５７８号公報
【発明の概要】
【発明が解決しようとする課題】
【０００７】
しかしながら、上述した特許文献１に記載の技術においては、次のような問題があった。
同技術においては、ＬＥＤ照明管を蛍光灯器具に取り付けたときに、ＬＥＤ照明管の口金が蛍光灯器具のソケットに係合固定され、この口金が固定された状態で、管体を回転させることにより、ＬＥＤからの光の照射方向を調整できるようになっていた。つまり、口金は、管体に対しては固定されていないことから、その口金による管体の支持が不安定なものとなっていた。
【０００８】
また、ＬＥＤ照明管に関する従来技術の中には、管体の端部における口金の取り付けにネジなどの固定部材を用いたものや、口金に凹部、管体に凸部をそれぞれ設けて、これらを嵌合するものが存在していた。ところが、これら従来技術は、口金が、蛍光灯器具のソケットに嵌合するためのピンを有し、このピンが、蛍光灯器具に配設された回路と管体の内部に配置されたＬＥＤとを仲介して、それらＬＥＤに電源を供給していた。つまり、従来技術の口金は、ＬＥＤへ電源を供給する経路の一部を構成しており、管体の支持用にのみ用いるものではなかった。このため、管体から口金を取り外すことができず、管体から外方への光の放射方向を調整することが困難となっていた。
【０００９】
さらに、従来のＬＥＤ照明管を直線状に複数連結した場合は、それら連結箇所に口金があるために、管体における光の放射面が断続的に配置され、その光が不連続となって、その光の照射面に断続的に暗い部分（ムラ）ができていた。
【００１０】
本発明は、上記の事情にかんがみなされたものであり、蛍光灯器具に取り付け可能であって、ＬＥＤ照明管の両端に取り付けられる口金を管体の支持用にのみ用いるとともに、管体からの光の放射方向を調整可能とし、かつ、ＬＥＤ照明管を直線状に複数連結した場合に照射面の光のムラをなくすことが可能なＬＥＤ照明管及びＬＥＤ照明装置の提供を目的とする。
【課題を解決するための手段】
【００１１】
この目的を達成するため、本発明のＬＥＤ照明管は、発光素子が配置された回路基板を内部に有する管体を備えたＬＥＤ照明管であって、管体の端面に設けられた閉塞部材と、この閉塞部材の外方に着脱可能に取り付けられた口金と、発光素子に電源を供給するための電源コードとを備え、この電源コードは、一方が回路基板に接続されるとともに、他方が管体又は閉塞部材を介して外部に接続された構成としてある。
【００１２】
また、本発明のＬＥＤ照明装置は、前述のＬＥＤ照明管を複数連結したＬＥＤ照明装置であって、ＬＥＤ照明管の両端から口金を取り除いて、この口金が取り付けられていた閉塞部材の被取付面である円形状の平面を露出させ、一のＬＥＤ照明管における閉塞部材の円形状の平面と、他のＬＥＤ照明管における閉塞部材の円形状の平面とを当接又は近接させて、複数のＬＥＤ照明管を直列方向に連結した構成としてある。
【発明の効果】
【００１３】
本発明のＬＥＤ照明管及びＬＥＤ照明装置によれば、発光素子に電源を供給するための電源コードが、管体又は閉塞部材を介して外部に接続されるため、その電源を供給する経路に口金が介在しなくなる。よって、この口金を管体の支持にのみ用いることができる。
そして、この口金の円形面において、外周と同心円上に複数の孔を穿設し、これら複数の孔の中から一つの孔を選択し、この選択した孔に固定部材を挿通して口金を固定することにより、管体からの光の放射方向を所望の方向に調整することができる。
【００１４】
また、ＬＥＤ照明管における閉塞部材の外側の面を平面としたことで、複数のＬＥＤ照明管の閉塞部材同士を間隙なく当接して、直線状のＬＥＤ照明装置を形成することができる。
そして、閉塞部材を透明又は半透明の材料で形成することにより、管体内部の発光素子から発せられた光を透過させることができる。これにより、直線状に連結された複数のＬＥＤ照明管のそれぞれから発する光が連続的となり、その光を受けた面（照射面）においては、暗い部分（ムラ）をなくすことができる。
【図面の簡単な説明】
【００１５】
【図１】本発明の実施形態におけるＬＥＤ照明管の全体構成を示す外観斜視図である。
【図２】ＬＥＤ照明管の端部の構成を示す分解斜視図である。
【図３】１灯用の蛍光灯器具とこれに取り付けられるＬＥＤ照明管を示す外観斜視図である。
【図４】（ａ）｛（ａ−１）〜（ａ−３）｝は、口金に形成された複数の孔のそれぞれにネジを通した状態を示す口金の正面図、（ｂ）｛（ｂ−１）〜（ｂ−３）｝は、閉塞部材及び回路基板の状態を示す正面図、（ｃ）｛（ｃ−１）〜（ｃ−３）｝は、管体からの光の放射方向を示す図である。
【図５】２灯用の蛍光灯器具とこれに取り付けられるＬＥＤ照明管を示す外観斜視図である。
【図６】２灯用の蛍光灯器具に取り付けられるＬＥＤ照明管の向きを示す側面図である。
【図７】（ａ）は、本発明の実施形態におけるＬＥＤ照明装置の構成を示す外観斜視図、（ｂ）は、ＬＥＤ照明管の連結部分（（ａ）のＡ部）を示す拡大図である。
【発明を実施するための形態】
【００１６】
以下、本発明に係るＬＥＤ照明管及びＬＥＤ照明装置の好ましい実施形態について、図面を参照して説明する。
【００１７】
［ＬＥＤ照明管の実施形態］
まず、本発明のＬＥＤ照明管の実施形態について、図１を参照して説明する。
同図は、本実施形態のＬＥＤ照明管の全体構成を示す外観斜視図である。
【００１８】
（ＬＥＤ照明管の構成）
同図に示すように、ＬＥＤ照明管１は、管体１０と、回路基板２０と、発光素子３０と、電源コード４０と、閉塞部材５０と、口金６０とを備えている。
ここで、管体１０は、中空のパイプ状で、径方向断面が円形に形成された部材である。
この管体１０は、例えば、プラスチックやガラスなどの材料で形成することができる。
また、管体１０は、全体又は一部を透明又は半透明の材料で形成することができる。ここで、円弧状に形成された板部材を二枚組み合わせて管体１０を形成し、これら板部材の各接合部を橋渡しするように回路基板２０を配置したときに、その回路基板２０のうち発光素子３０が配置された面に対向する板部材（その発光素子３０が光を放射する側の板部材）を透明又は半透明とすることができる。
【００１９】
回路基板２０は、管体１０の内部に配置された板状の基板であって、複数の発光素子３０や、それら発光素子３０に所定の電流を流すための電子回路（図示せず）が配設されている。
電子回路は、複数の電子部品とこれらを接続する配線とで構成されている。電子部品には、例えば、発光素子３０に所定量の電流を流すための抵抗や、発光素子３０に流れる電流を平準化するための平準化コンデンサなどがある。
【００２０】
発光素子３０は、例えば、ＬＥＤ（Light Emitting Diode）で構成することができ、所定値以上の電圧を印加すると発光する。
なお、ＬＥＤは、指向特性により、光の放射範囲が、一定の立体角の範囲に限られる。通常、回路基板２０のうち発光素子３０が配置された面から垂直な方向を中心とする一定の立体角の範囲が、光の放射範囲となる。
【００２１】
電源コード４０は、一端が、蛍光灯器具２に配設された灯具側回路（後述）に接続されるとともに、他端が、管体１０の内部に配設された回路基板２０に接続されている。つまり、電源コード４０は、ＬＥＤ照明管１の外部に配設された灯具側回路と、そのＬＥＤ照明管１の内部に配設された回路基板２０とを接続している。このため、ＬＥＤ照明管１の筐体を構成する管体１０又は閉塞部材５０には、電源コード４０を通すための配線挿通部が形成されている。
配線挿通部には、例えば、管体１０の端部１４に形成された切り欠き部１１（図２参照）、管体１０の周面に形成された孔（図示せず）、閉塞部材５０に形成された孔（図示せず）などがある。
【００２２】
なお、電源コード４０は、前述したように、一端が灯具側回路に接続されている。灯具側回路は、蛍光灯器具２に配設されている回路であって、商用交流電源の電圧値を所定の電圧値まで降圧する変圧器（トランス）や、交流を直流に変換する整流回路、整流された電流を平滑するための平滑回路などを備えている。そして、電源コード４０は、その灯具側回路から出力された直流電圧及び電流を、回路基板２０に配設された電子回路及び発光素子３０に供給する。ただし、回路基板２０に配設された電子回路が交流により動作するときは、電源コード４０は、交流電圧及び電流を、その電子回路に供給する。この場合、灯具側回路は、その電子回路の動作に適した交流電圧及び電流を出力する回路構成とされる。
また、電源コード４０の一端と電子回路とは、回路基板２０の面上で、半田付けなどにより接続することができる。
【００２３】
閉塞部材５０は、図２に示すように、管体１０の端面１２の開口１３を閉塞するための蓋体である。この閉塞部材５０は、その管体１０の端面１２とほぼ同径の円板状に形成された蓋部５１と、管体１０の端面１２の開口１３に嵌入される嵌入部５２とを有している。
蓋部５１は、管体１０の端面１２に対向する面（管体対向面５１−１）の周縁に沿って溝５１−２が形成されている。この溝５１−２に管体１０の端部１４が嵌合することで、蓋部５１が管体１０の端面１２に取り付けられる。
【００２４】
嵌入部５２は、蓋部５１の管体対向面５１−１から外方へ向かって突設形成された部分である。この嵌入部５２は、管体１０における端面１２の開口１３のうち、回路基板２０を境とする一方の開口（発光素子３０が配置されていない側の開口）に嵌入される。
また、嵌入部５２の内部には、管体対向面５１−１とは反対の面（口金対向面５１−３）から該嵌入部５２の先端に向かって孔５３が穿設されており、ネジ７１が螺入するようになっている。
さらに、嵌入部５２は、上下二段に分かれており、これらの間に前述した孔５３が穿設されている。このため、その孔５３にネジ７１が螺入すると、嵌入部５２のうち上段５２−１が上方へ押し上げられて回路基板２０を押し、嵌入部５２の下段５２−２が下方へ押し下げられて管体１０を押す。これにより、嵌入部５２（閉塞部材５０）が管体１０から抜けないようになっている。
【００２５】
なお、孔５３は、蓋部５１及び嵌入部５２に一又は二以上穿設することができる。
また、口金対向面５１−３においては、孔５３の開口周縁に沿って凹部５３−１が形成されており、ネジ７１の頭部がその凹部５３−１に収まるようになっている。これにより、そのネジ７１の頭部が口金対向面５１−３よりも突出しないので、口金対向面５１−３が平面であることを維持できる。
さらに、本実施形態においては、蓋部５１と嵌合部５２とを一体形成してあるが、一体形成に限るものではなく、別構成とすることもできる。
【００２６】
口金６０は、閉塞部材５０の口金対向面５１−３に取り付けられて、本実施形態のＬＥＤ照明管１の端部を構成する部材である。
この口金６０は、キャップ状に形成されており、閉塞部材５０の蓋部５１とほぼ同径の円板状に形成された天板部６１と、この天板部６１とほぼ同径の筒状に形成された筒部６２とを有している。そして、この筒部６２の一方の円形面に天板部６１が形成され、筒部６２の他方の円形面が開口（開口面６３）となっている。
【００２７】
この口金６０は、筒部６２の開口面６３と閉塞部材５０の口金対向面５１−３とを対向させ、その口金対向面５１−３の周縁の溝５１−４に口金６０の開口面６３の周縁部（筒部６２の端辺）を嵌合し、ネジ７２を螺入することで、閉塞部材５０に取り付けることができる。
ここで、ネジ７２は、天板部６１の孔６４を貫通し、閉塞部材５０の雌ネジ（取り付け部）５４に螺入（係合）する。孔６４は、天板部６１の厚み方向に穿設されている。雌ネジ５４は、閉塞部材５０における蓋部５１の口金対向面５１−３から管体対向面５１−１に向かって形成されている。
そして、ネジ７２を天板部６１の孔６４に挿通し、閉塞部材５０の雌ネジ５４に螺入することで、口金６０を閉塞部材５０に取り付けることができる。また、そのネジ７２を外すことで、口金６０を閉塞部材５０から取り外すことができる。これらネジ７２による取り付け及び取り外しにより、ＬＥＤ照明管１に対して口金６０を着脱可能としている。
【００２８】
また、孔６４は、天板部６１に複数穿設されている（本実施形態においては、三つ）。しかも、それら複数の孔６４（６４−１〜６４−３）は、天板部６１の円形面６５において、この円形面６５の外周と同心円上にそれぞれ形成されている。一方、雌ネジ５４は、閉塞部材５０の蓋部５１に一つのみ形成されている。
このため、それら複数の孔６４のいずれにネジ７２を通すかによって、閉塞部材５０に対する口金６０の取り付け角度を変えることができ、ひいては、蛍光灯器具２に取り付けられたＬＥＤ照明管１の光の放射方向を変えることができる。これら口金６０の取り付けと、ＬＥＤ照明管１からの光の放射方向の調整については、後記の「ＬＥＤ照明管の取り付け及び角度調整」にて詳述する。
【００２９】
また、天板部６１の外側の円形面６５には、蛍光灯器具２のソケット２−１の穴２−２に差し込まれるピン６６が突設形成されている。
さらに、天板部６１には凹部６７が形成されており、この凹部６７の底面に孔６４が形成されている。これにより、ネジ７２の頭部が天板部６１の円形面６５より突出することがなくなるので、蛍光灯器具２のソケット２−１の穴２−２にピン６６を差し込むときに、そのソケット２−１と口金６０の天板部６１とが当接するまで、しっかり差し込むことができる。
【００３０】
なお、凹部６７には、蓋部材８０が嵌め込まれている。これにより、凹部６７は、閉塞されている。
また、本実施形態においては、孔６４の数を三つとするが、三つに限るものではなく、任意の数だけ穿設することができる。
さらに、本実施形態においては、雌ネジ５４の数を一つとするが、一つに限るものではなく、任意の数だけ穿設することができる。
そして、ネジ７２は、口金６０に穿設された孔６４を貫通し、閉塞部材５０の取り付け部（雌ネジ５４）に係合して、口金６０を閉塞部材５０に固定することから、「固定部材」としての機能を有している。
【００３１】
（ＬＥＤ照明管の取り付け及び角度調整）
本実施形態のＬＥＤ照明管１は、図３に示すように、天井などに既設の蛍光灯器具２ａに取り付けることができる。なお、同図は、１灯用の蛍光灯器具２ａに一本のＬＥＤ照明管１を取り付ける場合を示している。
この取り付けに際して、ＬＥＤ照明管１は、回路基板２０のうち発光素子３０の配設された面が下方を向くように取り付けられる。また、電源コード４０を通す配線挿通部は、管体１０の上部に位置するようにする。さらに、ＬＥＤ照明管１が蛍光灯器具２ａに取り付けられた状態では、ソケット２−１の内部でＬＥＤ照明管１の二本のピン６６が水平に並ぶ。そして、口金６０の凹部６７及び孔６４は、ピン６６よりも上方に位置する。
【００３２】
また、図４（ａ）〜（ｃ）に示すように、口金６０に形成された複数の孔６４（６４−１〜６４−３）のうち任意の孔６４にネジ７２を貫通させることで、管体１０の内部に配置された発光素子３０から発せられる光の放射方向を変えることができる。
なお、口金６０には、三つの孔６４（６４−１〜６４−３）が形成されているものとする。そして、真ん中に位置する孔６４−２は、該口金６０の円形面６５のうち二つのピン６６が突設する箇所同士を結ぶ線の垂直二等分線上に位置するものとする。また、他の一の孔６４−１は、その垂直二等分線から所定角度（口金６０の円形面６５の中心Ｏを中心として反時計回りに−θ°）だけ傾いたところに位置するものとする。さらに、他の一の孔６４−３は、その垂直二等分線から所定角度（口金６０の円形面６５の中心Ｏを中心として時計回りに＋θ°）だけ傾いたところに位置するものとする。
【００３３】
ここで、例えば、同図（ａ−２）に示すように、それら三つの孔６４（６４−１〜６４−３）のうち、真ん中に位置する孔６４−２にネジ７２を通し、これにより口金６０を閉塞部材５０に取り付け、このＬＥＤ照明管１を蛍光灯器具２ａに取り付けた場合、閉塞部材５０の雌ネジ５４は、同図（ｂ−２）に示すように、この閉塞部材５０の口金対向面５１−３の中心Ｏより上方であって、該中心Ｏを通る垂直線上に位置する。そして、管体１０の内部に配置された回路基板２０は、発光素子３０が配設された面が水平となる。このため、管体１０からの光の放射方向は、その配設面からの垂線に沿って、真下方向となる（同図ｃ−２）。
【００３４】
また、同図（ａ−１）に示すように、三つの孔６４（６４−１〜６４−３）のうち、右側に位置する孔６４−３にネジ７２を通した場合、閉塞部材５０の雌ネジ５４は、同図（ｂ−１）に示すように、この閉塞部材５０の口金対向面５１−３の中心Ｏより上方であって、該中心Ｏを通る垂直線から右へ所定角度（＋θ°）だけ傾いたところに位置する。そして、管体１０の内部に配置された回路基板２０は、発光素子３０が配設された面が所定角度（＋θ°）だけ傾く。このため、管体１０からの光の放射方向は、その回路基板２０の配設面に対して直交下方（中心Ｏを通る垂直線に対して所定角度（＋θ°）だけ傾いた方向）となる（同図ｃ−１）。
【００３５】
さらに、同図（ａ−３）に示すように、三つの孔６４（６４−１〜６４−３）のうち、左側に位置する孔６４−１にネジ７２を通した場合、閉塞部材５０の雌ネジ５４は、同図（ｂ−３）に示すように、この閉塞部材５０の口金対向面５１−３の中心Ｏより上方であって、該中心Ｏを通る垂直線から左へ所定角度（−θ°）だけ傾いたところに位置する。そして、管体１０の内部に配置された回路基板２０は、発光素子３０が配設された面が所定角度（−θ°）だけ傾く。このため、管体１０からの光の放射方向は、その回路基板２０の配設面に対して直交下方（中心Ｏを通る垂直線に対して所定角度（−θ°）だけ傾いた方向）となる（同図ｃ−３）。
【００３６】
このように、口金６０に形成された複数の孔６４（６４−１〜６４−３）の中から任意の孔６４を選択し、この孔６４にネジ７２を通すことによって、管体１０からの光の放射方向を変えることができる。
なお、所定角度θは、例えば、３０°や３５°などとすることができる。
【００３７】
また、本実施形態のＬＥＤ照明管１は、図３に示すように、１灯用の蛍光灯器具２ａに取り付けることができるが、取り付け可能な蛍光灯器具２は、１灯用に限るものではなく、図５に示すように、２灯用の蛍光灯器具２ｂ（逆富士型）にも取り付けることができる。そして、この場合においても、管体１０からの光の放射方向を調整することができる。
【００３８】
例えば、図５、図６に示すように、２灯用の蛍光灯器具２ｂに配設された二組のソケット２−１（２−１１、２−１２）のうち、一組のソケット２−１１には、孔６４−１にネジ７２が通されたＬＥＤ照明管１を取り付け（図６左側）、他の一組のソケット２−１２には、孔６４−３にネジ７２が通されたＬＥＤ照明管１を取り付ける（同図右側）。
これにより、ＬＥＤ照明管１からの光の放射方向は、二本とも、天井に対して垂直下方となる。
【００３９】
なお、図６においては、ＬＥＤ照明管１からの光の放射方向を天井に対して垂直下方としているが、これに限るものではなく、任意の方向、例えば、その垂直下方に対して３０°や６０°（３５°や７０°）の角度を有した方向とすることもできる。
【００４０】
［ＬＥＤ照明装置の実施形態］
次に、本発明のＬＥＤ照明装置の実施形態について、図７（ａ）、（ｂ）を参照して説明する。
同図（ａ）は、本実施形態のＬＥＤ照明装置の構成を示す外観斜視図、同図（ｂ）は、ＬＥＤ照明装置を構成するＬＥＤ照明管の接合部分を示す拡大図（（ａ）のＡ部拡大図）である。
本実施形態のＬＥＤ照明装置は、前述した実施形態におけるＬＥＤ照明管を複数本用いて構成されている。
したがって、図７において、図１と同様の構成部分については同一の符号を付して、その詳細な説明を省略する。
【００４１】
ここで、本実施形態のＬＥＤ照明装置３は、図７（ａ）、（ｂ）に示すように、複数本のＬＥＤ照明管１を直列方向に複数連結したものである。
ＬＥＤ照明管１のそれぞれは、ブラケット４を用いて、天井や壁などに直接取り付けることができる。
また、ＬＥＤ照明装置３は、口金６０が取り除かれ、閉塞部材５０の外側の面（口金対向面５１−３）が露出した状態となっている。
さらに、この口金対向面５１−３は、平面に形成されている。このことから、一のＬＥＤ照明管１における口金対向面５１−３と、他のＬＥＤ照明管１における口金対向面５１−３とを、間隙なく当接させることができる。これにより、複数本のＬＥＤ照明管１を直線状に連続して配置することができる。
【００４２】
また、閉塞部材５０は、透明の樹脂で形成されている。これにより、発光素子３０から発した光が閉塞部材５０を透過するので、照射された光に継ぎ目やムラのないシームレスな照明を実現できる。
さらに、閉塞部材５０の蓋部５１は、厚みの薄い円板状に形成されている（例えば、厚みが４ｍｍ）。これにより、管体１０の透明度と閉塞部材５０の透明度に差があったとしても、その差による光のムラを最小限に抑えることができる。
なお、閉塞部材５０の口金対向面５１−３は、ＬＥＤ照明管１の実施形態において口金６０が取り付けられていた面であり、円形状の平面に形成されていることから、「被取付面」に相当する。
【００４３】
以上説明したように、本実施形態のＬＥＤ照明管及びＬＥＤ照明装置によれば、発光素子に電源を供給するための電源コードの一方が、回路基板に接続され、他方が、管体又は閉塞部材を介して外部に接続される構成としたので、口金を介することなく、発光素子に電源を供給することができる。よって、その口金を、管体の支持にのみ用いることができる。
また、口金を介さずに発光素子に電源供給を行うため、既設の蛍光灯器具に配設された回路や配線を改造・変更することなく、ＬＥＤ照明管をその蛍光灯器具に取り付けることができる。
【００４４】
さらに、ＬＥＤ照明管の両端部に設けられる口金が着脱可能となっており、この口金を取り付けるためのネジを通す孔が、該口金の外周と同心円上に複数形成されているので、いずれの孔にネジを通すかによって、口金の取り付け角度を調整でき、ひいては、蛍光灯器具に取り付けられるＬＥＤ照明管からの光の放射角度を調整できる。
しかも、固定部材（ネジ）により口金が閉塞部材及び管体に固定されるので、口金による管体の支持が安定する。
【００４５】
そして、口金が取り外されたＬＥＤ照明管を複数用意し、閉塞部材の口金対向面同士を当接させることで、直線状のＬＥＤ照明装置を構成できる。
特に、閉塞部材は、透明又は半透明の材料で形成されており、しかも、口金対向面は、平面に形成されているので、発光素子からの光が閉塞部材を透過し、ムラや継ぎ目のないシームレスな照射光を実現できる。
【００４６】
以上、本発明のＬＥＤ照明管及びＬＥＤ照明装置の好ましい実施形態について説明したが、本発明に係るＬＥＤ照明管及びＬＥＤ照明装置は上述した実施形態にのみ限定されるものではなく、本発明の範囲で種々の変更実施が可能であることは言うまでもない。
例えば、上述したＬＥＤ照明管の実施形態では、天井に既設の蛍光灯器具にそのＬＥＤ照明管を取り付けることとしたが、取り付けられる器具は、天井に既設の蛍光灯器具に限るものではなく、例えば、電気スタンド、街路灯、電話ボックス内の照明器具、道路の路面に設けられた照明灯、非常口を知らせる誘導灯、自動車の照明ランプ、駐車場などで係員が所持する誘導棒など、種々の装置や器具に取り付けることができる。そして、これら種々の装置や器具に応じて、光の放射方向を調整できることから、ＬＥＤ照明管の利便性を向上させることができる。
【００４７】
また、上述したＬＥＤ照明装置の実施形態においては、一のＬＥＤ照明管における口金対向面と、他のＬＥＤ照明管における口金対向面とを、当接（密着）させることとしているが、当接（密着）に限るものではなく、近接した状態とすることもできる。
【産業上の利用可能性】
【００４８】
本発明は、ＬＥＤ照明管に関する発明であるため、ＬＥＤ照明管を取り付け可能な装置や器具に利用可能である。
【符号の説明】
【００４９】
１  ＬＥＤ照明管
１０  管体
１１  切り欠き部（配線挿通部）
１２  端面
１３  開口
２０  回路基板
３０  発光素子（ＬＥＤ）
４０  電源コード
５０  閉塞部材
５１  蓋部
５４  雌ネジ（取り付け部）
６０  口金
６４  孔
６７  凹部
７２  ネジ（固定部材）
８０  蓋部材
２（２ａ、２ｂ）  蛍光灯器具
３  ＬＥＤ照明装置
【図１】
2012099411.tif 000003
【図２】
2012099411.tif 000004
【図３】
2012099411.tif 000005
【図４】
2012099411.tif 000006
【図５】
2012099411.tif 000007
【図６】
2012099411.tif 000008
【図７】
2012099411.tif 000009